(57)【要約】【課題】記録材束の厚み方向に対して直線移動する用紙押え部に比べて簡易な構成を有する機構で、記録材束を押えることを実現する。【解決手段】厚み方向の一方側および他方側から記録材束を押圧して綴じる一組の綴じ部と、予め定められた支点を中心として記録材束に向けて回転運動を行うことによって、一方側から記録材束を支持する第１支持部と、一組の綴じ部による綴じに際して第１支持部と対峙するように他方側から記録材束を支持する第２支持部とを有する綴じ装置。【選択図】図４
2019167172.tif 000002
【特許請求の範囲】
【請求項１】
厚み方向の一方側および他方側から記録材束を押圧して綴じる一組の綴じ部と、
予め定められた支点を中心として記録材束に向けて回転運動を行うことによって、一方側から記録材束を支持する第１支持部と、
前記一組の綴じ部による綴じに際して前記第１支持部と対峙するように前記他方側から記録材束を支持する第２支持部と
を有する綴じ装置。
【請求項２】
前記第１支持部は、前記一方側にある綴じ部の移動に連動して移動することを特徴とする請求項１記載の綴じ装置。
【請求項３】
前記一方側は、記録材束の厚み方向の上方であることを特徴とする請求項２記載の綴じ装置。
【請求項４】
前記第２支持部は、予め定められた支点を中心として回転運動を行うことによって、前記第１支持部と対峙するように前記他方側から記録材束を支持することを特徴とする請求項３記載の綴じ装置。
【請求項５】
前記第２支持部は、前記他方側にある綴じ部の移動に連動して移動することを特徴とする請求項４記載の綴じ装置。
【請求項６】
前記第１支持部の支点と前記第２支持部の支点とは、異なる支点であることを特徴とする請求項５記載の綴じ装置。
【請求項７】
前記第１支持部の支点および前記第２支持部の支点は、前記一組の綴じ部の綴じ部支点と異なる支点であることを特徴とする請求項６記載の綴じ装置。
【請求項８】
前記綴じ部支点は記録材束を押圧する押圧領域に対して記録材または記録材束が出入する方向である出入方向に移動成分を有して移動し、
前記第１支持部の支点および前記第２支持部の支点は、前記綴じ部支点が移動範囲における前記出入方向の最も下流側に位置する際に当該綴じ部支点よりも当該出入方向の上流側に位置する
ことを特徴とする請求項７記載の綴じ装置。
【請求項９】
前記第１支持部と前記一方側にある綴じ部との相対的な移動を規制する規制機構を更に有し、
前記規制機構により、前記第１支持部と前記一方側にある綴じ部との移動が相対的に規制されていることを特徴とする請求項１記載の綴じ装置。
【請求項１０】
前記規制機構は、前記第１支持部を前記一方側にある綴じ部に連動可能に取り付け、
前記規制機構の一端に前記予め定められた支点が設けられ、当該規制機構の他端に、前記第１支持部と、前記一方側にある綴じ部の移動を当該第１支持部に伝達する伝達溝と、が設けられていることを特徴とする請求項９記載の綴じ装置。
【請求項１１】
前記一組の綴じ部は、他の支点によって記録材または記録材束が出入する出入方向と垂直する成分を有する押圧方向にて移動し、
前記伝達溝は、前記出入方向の成分を有する方向に沿って形成されていることを特徴とする請求項１０記載の綴じ装置。
【請求項１２】
前記規制機構は、前記第１支持部が記録材束と接触する前に前記一方側にある綴じ部の動きを規制する規制溝を更に備えることを特徴とする請求項９記載の綴じ装置。
【請求項１３】
前記規制溝は、前記第１支持部が記録材束を押えた後、前記一方側にある綴じ部が記録材束に突き当たった際に、当該一方側にある綴じ部の記録材または記録材束が出入する方向である出入方向の下流側への移動を規制する
ことを特徴とする請求項１２記載の綴じ装置。
【請求項１４】
前記第１支持部は、記録材束を押えた後、前記一方側にある綴じ部が記録材束に突き当たった際に、記録材束から離れる方向にて退避移動をする
ことを特徴とする請求項１２記載の綴じ装置。
【請求項１５】
前記規制溝は、前記一方側にある綴じ部の移動を前記第１支持部に伝達する伝達溝よりも端部に当該伝達溝と連結するように設けられていることを特徴とする請求項１２記載の綴じ装置。
【請求項１６】
前記規制溝は、記録材または記録材束が出入する出入方向と垂直する方向である押圧方向の成分を有する方向に沿って形成されていることを特徴とする請求項１２記載の綴じ装置。
【請求項１７】
前記一方側にある綴じ部の移動を前記第１支持部に伝達する伝達溝は、前記規制溝よりも記録材または記録材束が出入する方向である出入方向の下流側に形成され、当該伝達溝の当該出入方向の最も上流側にある端が当該規制溝の前記押圧方向の最も上方にある端と連結され、
前記一方側にある綴じ部が綴じ径路に沿って綴じ位置に向けて移動する際に、前記伝達溝によって前記押圧方向の成分を有する押圧方向移動が規制されてから、前記規制溝によって前記出入方向の成分を有する出入方向移動が規制されて、記録材束に突き当たる
ことを特徴とする請求項１６記載の綴じ装置。
【請求項１８】
画像が形成された記録材を搬送する搬送部と、当該搬送部により搬送された記録材を束とした記録材束を収容する収容部と、当該収容部に収容された記録材束を綴じる綴じ装置とを備え、当該綴じ装置が、請求項１乃至１７の何れかに記載の綴じ装置により構成された画像処理装置。
【発明の詳細な説明】
【技術分野】
【０００１】
本発明は、綴じ装置および画像処理装置に関する。
【背景技術】
【０００２】
特許文献１では、集積された用紙束Ｔの集積領域内に移動し、用紙束Ｔに厚さ方向の変形を形成することで用紙束Ｔを綴じ、用紙束Ｔを綴じた後に用紙束Ｔの集積領域外に退避する綴じ部５１１Ｃと、綴じ部５１１Ｃが用紙束Ｔを綴じる際に用紙束Ｔを支持する下部フレーム５１２と、綴じ部５１１Ｃが用紙束Ｔの集積領域内に移動する際に用紙束Ｔを下部フレーム５１２から離間させる突出部材５１２Ｃと、移動機構によって、綴じ部５１１Ｃが用紙束Ｔを綴じるのに先立って用紙束Ｔを下部フレーム５１２との間で押さえ込むとともに、突出部材５１２Ｃを下部フレーム５１２側に向けて退避させる移動フレーム５１１Ａとを備えている記録材後処理装置が開示されている。
【先行技術文献】
【特許文献】
【０００３】
【特許文献１】特開２０１２−４１１６３号公報
【発明の概要】
【発明が解決しようとする課題】
【０００４】
綴じ処理の安定性を向上させるために、例えば、綴じ処理を行う前に用紙押え部によって厚み方向から記録材束を押える技術が存在している。このような場合において、用紙押え部は記録材束の厚み方向にて移動する必要がある。しかしながら、厚み方向の移動を実現させるために、用紙押え部は複雑な構成を採用する必要がある。
本発明の目的は、記録材束の厚み方向に対して直線移動する用紙押え部に比べて簡易な構成を有する機構で、記録材束を押えることを実現することにある。
【課題を解決するための手段】
【０００５】
請求項１に記載の発明は、厚み方向の一方側および他方側から記録材束を押圧して綴じる一組の綴じ部と、予め定められた支点を中心として記録材束に向けて回転運動を行うことによって、一方側から記録材束を支持する第１支持部と、前記一組の綴じ部による綴じに際して前記第１支持部と対峙するように前記他方側から記録材束を支持する第２支持部とを有する綴じ装置である。
請求項２に記載の発明は、前記第１支持部は、前記一方側にある綴じ部の移動に連動して移動することを特徴とする請求項１記載の綴じ装置である。
請求項３に記載の発明は、前記一方側は、記録材束の厚み方向の上方であることを特徴とする請求項２記載の綴じ装置である。
請求項４に記載の発明は、前記第２支持部は、予め定められた支点を中心として回転運動を行うことによって、前記第１支持部と対峙するように前記他方側から記録材束を支持することを特徴とする請求項３記載の綴じ装置である。
請求項５に記載の発明は、前記第２支持部は、前記他方側にある綴じ部の移動に連動して移動することを特徴とする請求項４記載の綴じ装置である。
請求項６に記載の発明は、前記第１支持部の支点と前記第２支持部の支点とは、異なる支点であることを特徴とする請求項５記載の綴じ装置である。
請求項７に記載の発明は、前記第１支持部の支点および前記第２支持部の支点は、前記一組の綴じ部の綴じ部支点と異なる支点であることを特徴とする請求項６記載の綴じ装置である。
請求項８に記載の発明は、前記綴じ部支点は記録材束を押圧する押圧領域に対して記録材または記録材束が出入する方向である出入方向に移動成分を有して移動し、前記第１支持部の支点および前記第２支持部の支点は、前記綴じ部支点が移動範囲における前記出入方向の最も下流側に位置する際に当該綴じ部支点よりも当該出入方向の上流側に位置する
ことを特徴とする請求項７記載の綴じ装置である。
請求項９に記載の発明は、前記第１支持部と前記一方側にある綴じ部との相対的な移動を規制する規制機構を更に有し、前記規制機構により、前記第１支持部と前記一方側にある綴じ部との移動が相対的に規制されていることを特徴とする請求項１記載の綴じ装置である。
請求項１０に記載の発明は、前記規制機構は、前記第１支持部を前記一方側にある綴じ部に連動可能に取り付け、前記規制機構の一端に前記予め定められた支点が設けられ、当該規制機構の他端に、前記第１支持部と、前記一方側にある綴じ部の移動を当該第１支持部に伝達する伝達溝と、が設けられていることを特徴とする請求項９記載の綴じ装置である。
請求項１１に記載の発明は、前記一組の綴じ部は、他の支点によって記録材または記録材束が出入する出入方向と垂直する成分を有する押圧方向にて移動し、前記伝達溝は、前記出入方向の成分を有する方向に沿って形成されていることを特徴とする請求項１０記載の綴じ装置である。
請求項１２に記載の発明は、前記規制機構は、前記第１支持部が記録材束と接触する前に前記一方側にある綴じ部の動きを規制する規制溝を更に備えることを特徴とする請求項９記載の綴じ装置である。
請求項１３に記載の発明は、前記規制溝は、前記第１支持部が記録材束を押えた後、前記一方側にある綴じ部が記録材束に突き当たった際に、当該一方側にある綴じ部の記録材または記録材束が出入する方向である出入方向の下流側への移動を規制することを特徴とする請求項１２記載の綴じ装置である。
請求項１４に記載の発明は、前記第１支持部は、記録材束を押えた後、前記一方側にある綴じ部が記録材束に突き当たった際に、記録材束から離れる方向にて退避移動をすることを特徴とする請求項１２記載の綴じ装置である。
請求項１５に記載の発明は、前記規制溝は、前記一方側にある綴じ部の移動を前記第１支持部に伝達する伝達溝よりも端部に当該伝達溝と連結するように設けられていることを特徴とする請求項１２記載の綴じ装置である。
請求項１６に記載の発明は、前記規制溝は、記録材または記録材束が出入する出入方向と垂直する方向である押圧方向の成分を有する方向に沿って形成されていることを特徴とする請求項１２記載の綴じ装置である。
請求項１７に記載の発明は、前記一方側にある綴じ部の移動を前記第１支持部に伝達する伝達溝は、前記規制溝よりも記録材または記録材束が出入する方向である出入方向の下流側に形成され、当該伝達溝の当該出入方向の最も上流側にある端が当該規制溝の前記押圧方向の最も上方にある端と連結され、前記一方側にある綴じ部が綴じ径路に沿って綴じ位置に向けて移動する際に、前記伝達溝によって前記押圧方向の成分を有する押圧方向移動が規制されてから、前記規制溝によって前記出入方向の成分を有する出入方向移動が規制されて、記録材束に突き当たることを特徴とする請求項１６記載の綴じ装置である。
請求項１８に記載の発明は、画像が形成された記録材を搬送する搬送部と、当該搬送部により搬送された記録材を束とした記録材束を収容する収容部と、当該収容部に収容された記録材束を綴じる綴じ装置とを備え、当該綴じ装置が、請求項１乃至１７の何れかに記載の綴じ装置により構成された画像処理装置である。
【発明の効果】
【０００６】
請求項１の発明によれば、記録材束の厚み方向に対して直線移動する用紙押え部に比べて、簡易な構成を有する機構で記録材束を押えることができる。
請求項２の発明によれば、綴じ動作に連動させて記録材束を押えることができる。
請求項３の発明によれば、他方側の第２支持部が移動しない、または一方側の第１支持部に比べて移動量が少ない場合であっても、綴じ処理の安定性を高めることができる。
請求項４の発明によれば、下方側から記録材束を押える動作を簡略化することができる。
請求項５の発明によれば、記録材束の押えを綴じ動作に連動させることができる。
請求項６の発明によれば、記録材束を押えるために移動する第１支持部の一端部と第２支持部の一端部との両者の対峙する角度の変化を、第１支持部と第２支持部とを同一支点とした場合に比べて小さくすることができる。
請求項７の発明によれば、支持部と綴じ部とのそれぞれの移動を妨げない。
請求項８の発明によれば、記録材束を押えるために移動する第１支持部および第２支持部の記録材束に対する角度を、第１支持部の支点および第２支持部の支点を綴じ部支点よりも下流側にした場合に比べて、より平行に近くすることができる。
請求項９の発明によれば、第１支持部と綴じ部との相対的な位置を、規制機構を設けない場合に比べて、更に細かく制御することができる。
請求項１０の発明によれば、第１支持部と綴じ部とを相対的に移動させることができる。
請求項１１の発明によれば、第１支持部と綴じ部とを相対的に移動させることができる。
請求項１２の発明によれば、記録材束を支持した後に、綴じ部の移動に第１支持部を連動させない。
請求項１３の発明によれば、記録材束を支持した後に、綴じ部が移動しても第１支持部を出入方向に移動させない。
請求項１４の発明によれば、記録材束の支持が、綴じ処理を阻害しない。
請求項１５の発明によれば、綴じ部の動きに連続させて第１支持部の動きを規制することができる。
請求項１６の発明によれば、記録材束を支持した後に、綴じ部の移動に第１支持部を連動させない。
請求項１７の発明によれば、退避から押圧に際して、出入方向から押圧方向への相対的な移動を実現できる。
請求項１８の発明によれば、画像が形成された記録材束の厚み方向に対して直線移動する用紙押え部に比べて簡易な構成を有する機構で、記録材束を押えた後に綴じ処理を行なう画像処理装置を提供することができる。
【図面の簡単な説明】
【０００７】
【図１】本実施の形態が適用される記録材処理システムの構成を示した図である。
【図２】本実施の形態が適用される後処理装置の構成を説明するための図である。
【図３】本実施の形態が適用される綴じ処理装置を上方から眺めた場合を示す図である。
【図４】本実施の形態が適用される綴じユニットの斜視図である。
【図５】本実施の形態が適用される綴じユニットの綴じ構造の構成を説明するための図である。
【図６】本実施の形態が適用される綴じユニットの記録材束に接触する箇所を説明するための図である。
【図７】本実施の形態が適用される綴じユニットの押圧構造を説明するための図である。
【図８】本実施の形態が適用される綴じユニットの筐体を説明するための図である。
【図９】本実施の形態が適用される綴じユニットの記録材束の厚み方向の他方側にある綴じ部、第２支持部および清掃部の構成を説明するための図である。
【図１０】本実施の形態が適用される綴じユニットの記録材束の厚み方向の一方側にある綴じ部、第１支持部および清掃部の構成を説明するための図である。
【図１１】本実施の形態が適用される綴じユニットの第１支持部と第２支持部との構成を説明するための概念図である。
【図１２−１】本実施の形態が適用される綴じユニットが記録材束と接触する前の初期状態を説明するための図である。
【図１２−２】本実施の形態が適用される綴じユニットの清掃部が綴じ部を清掃する状態を説明するための図である。
【図１２−３】本実施の形態が適用される綴じユニットの第１支持部および第２支持部が記録材束と接触する直前の綴じ部、第１支持部、第２支持部および清掃部の状態を説明するための図である。
【図１２−４】本実施の形態が適用される綴じユニットの第１支持部および第２支持部が記録材束と接触するときの綴じ部、第１支持部、第２支持部および清掃部の状態を説明するための図である。
【発明を実施するための形態】
【０００８】
以下、添付図面を参照して、本発明の実施の形態について詳細に説明する。
＜記録材処理システム２００＞
図１は、本実施の形態が適用される記録材処理システム２００の構成を示した図である。
画像処理装置の一つとして機能する記録材処理システム２００には、画像形成部にて用紙などの記録材（シート）に対して電子写真方式等を用いて画像を形成する画像形成装置１、画像形成装置１により画像が形成された複数枚の用紙に対して綴じ処理を施す綴じ装置としての後処理装置２が設けられている。なお、画像形成装置１または後処理装置２を単体として画像処理装置として把握することができるとともに、画像形成装置１と後処理装置２とを含めて画像処理装置として把握することもできる。また、前述のように後処理装置２を単体の綴じ装置として把握することができるとともに、画像形成装置１と後処理装置２とを含めて綴じ装置として把握することもできる。さらに、後処理装置２から綴じを行う機能部分だけを取り出して綴じ装置として把握してもよい。
【０００９】
＜画像形成装置１＞
画像形成装置１は、各色画像データに基づいて画像形成を行う４つの画像形成ユニット１００Ｙ,１００Ｍ,１００Ｃ,１００Ｋ（「画像形成ユニット１００」とも総称する）を備える。また、画像形成装置１には、各画像形成ユニット１００に設けられた感光体ドラム１０７を露光し、感光体ドラム１０７の表面に静電潜像を形成するレーザ露光装置１０１が設けられている。
【００１０】
また、画像形成装置１には、各画像形成ユニット１００にて形成された各色のトナー像が多重転写される中間転写ベルト１０２、各画像形成ユニット１００にて形成された各色トナー像を中間転写ベルト１０２に順次転写（一次転写）する一次転写ロール１０３が設けられている。更に、中間転写ベルト１０２上に転写された各色トナー像を用紙に一括転写（二次転写）する二次転写ロール１０４、二次転写された各色トナー像を用紙上に定着させる定着装置１０５、画像形成装置１の動作を制御する本体制御部１０６が設けられている。
【００１１】
各画像形成ユニット１００では、感光体ドラム１０７の帯電、感光体ドラム１０７への静電潜像の形成が行われる。そして、静電潜像の現像が行われて、感光体ドラム１０７の表面には、各色のトナー像が形成される。
感光体ドラム１０７の表面に形成された各色トナー像は、一次転写ロール１０３により中間転写ベルト１０２上に順次転写される。そして、各色トナー像は、中間転写ベルト１０２の移動に伴って二次転写ロール１０４が設置された位置へ搬送される。
【００１２】
画像形成装置１の用紙収容部１１０Ａ〜１１０Ｄには、異なるサイズや異なる種類の用紙が収容されている。そして、例えば、ピックアップロール１１１により用紙収容部１１０Ａから用紙が取り出され、搬送ロール１１２によってレジストロール１１３まで搬送される。
そして、中間転写ベルト１０２上の各色トナー像が二次転写ロール１０４に搬送されるタイミングに合わせて、二次転写ロール１０４と中間転写ベルト１０２とが対向する対向部（二次転写部）に対してレジストロール１１３から用紙が供給される。
そして、中間転写ベルト１０２上の各色トナー像が、二次転写ロール１０４により形成された転写電界の作用によって、用紙上に一括して静電転写（二次転写）される。
【００１３】
その後、各色トナー像が転写された用紙は、中間転写ベルト１０２から剥離されて定着装置１０５へ搬送される。定着装置１０５では、熱および圧力による定着処理により、各色トナー像が用紙上に定着され、用紙上に画像が形成される。
そして、画像が形成された用紙は、搬送ロール１１４によって画像形成装置１の用紙排出部Ｔから排出され、画像形成装置１に接続された後処理装置２へ供給される。
後処理装置２は、画像形成装置１の用紙排出部Ｔの下流側に配置され、画像が形成された用紙に対して穴あけや綴じ等の後処理を行う。
【００１４】
＜後処理装置２＞
図２は、後処理装置２の構成を説明するための図である。
図２に示すように、画像処理装置の一つとして機能する後処理装置２は、画像形成装置１の用紙排出部Ｔに接続されたトランスポートユニット２１、トランスポートユニット２１により搬送されてきた用紙に対して予め定められた処理を施すフィニッシャユニット２２を備える。トランスポートユニット２１や、フィニッシャユニット２２の各種搬送経路は、画像が形成された記録材を搬送する搬送部の一つとして機能する。また、画像形成装置１の画像形成前後の搬送路も搬送部の一つとして機能する。
【００１５】
また、後処理装置２は、後処理装置２の各機構部を制御する用紙処理制御部２３（図１参照）を備える。用紙処理制御部２３は、不図示の信号ラインで本体制御部１０６（図１参照）に接続され、相互に制御信号等の送受信を行う。また、後処理装置２は、後処理装置２による処理が終了した用紙（用紙束）が積載されるスタッカー部８０を備える。
【００１６】
図２に示すように、後処理装置２のトランスポートユニット２１には、２穴や４穴等の穴あけ（パンチ）を施すパンチ機能部３０が設けられている。更に、トランスポートユニット２１には、画像形成装置１にて画像形成された後の用紙をフィニッシャユニット２２に向けて搬送する複数の搬送ロール２１１が設けられている。
【００１７】
フィニッシャユニット２２には、記録材束の一例としての用紙束に対する綴じ処理を行う綴じ処理装置３００が設けられている。本実施形態の綴じ処理装置３００は、ステープル（針）を用いずに用紙を構成する繊維同士を絡ませ、用紙束に対する綴じ処理を行う。なお、綴じ処理装置３００を綴じ装置の一つとして把握することもできる。
【００１８】
綴じ処理装置３００には、用紙を下方から支持するとともに用紙を必要枚数だけ集積させて用紙束を生成する用紙集積部７０が設けられている。用紙集積部７０は、搬送部により搬送された記録材を束とした記録材束を収容する収容部の一つとして機能する。また、綴じ処理装置３００には、用紙束に対して綴じ処理を行う綴じユニット５００が設けられている。なお、用紙集積部７０には、用紙が一枚ずつ収容されて用紙束を収容する態様の他、用紙束として一括して収容される態様がある。
【００１９】
また、綴じ処理装置３００には、搬出ロール７１および移動ロール７２が設けられている。搬出ロール７１は、図中時計回り方向に回転し、用紙集積部７０上の用紙束をスタッカー部８０へ送る。移動ロール７２は、回転軸７２ａを中心に移動可能に設けられ、用紙を用紙集積部７０に集積させる際には搬出ロール７１から退避した箇所に位置する。また、生成された用紙束をスタッカー部８０へ送る際には、用紙集積部７０上の用紙束に押し当てられる。
【００２０】
後処理装置２は、用紙処理制御部２３が本体制御部１０６からの用紙に対する処理を実行する旨の指示信号を受信した後に、用紙に対する処理を実行する。そして、後処理装置２は、まずトランスポートユニット２１に対し、画像形成装置１により画像形成が行われた用紙が供給される。トランスポートユニット２１では、用紙処理制御部２３からの指示信号に応じてパンチ機能部３０による穴あけが行われた後、搬送ロール２１１によって、フィニッシャユニット２２に向けて用紙が搬送される。一方、用紙処理制御部２３からの穴あけ指示が無い場合、用紙は、パンチ機能部３０による穴あけ処理は行われずにフィニッシャユニット２２へ送られる。
フィニッシャユニット２２に送られた用紙は、綴じ処理装置３００に設けられた用紙集積部７０へ搬送される。そして、用紙は、用紙集積部７０に付与された傾斜角も利用して用紙集積部７０の上をスライド移動し、用紙集積部７０の端部に設けられた用紙規制部７４に突き当たって停止する。用紙規制部７４に用紙が突き当たることで、用紙の後端部が揃えられた状態の用紙束が用紙集積部７０上に生成される。なお、本実施形態では、用紙を用紙規制部７４に向けて移動させる回転パドル７３が設けられている。
【００２１】
図３は、綴じ処理装置３００を上方から眺めた場合の図である。
用紙集積部７０の幅方向における両端部には、第１移動部材８１が設けられている。
第１移動部材８１は、用紙束を構成する用紙の側辺を押し当て、用紙束を構成する用紙の端部の位置を揃える。また、第１移動部材８１は、用紙束の幅方向に移動し、用紙束の幅方向へ用紙束を移動させる。用紙が用紙集積部７０に集積される際、用紙の側辺に第１移動部材８１が押し当てられ、用紙の側辺の位置が揃えられる。また、用紙束の綴じ位置が変更される場合には、第１移動部材８１によって用紙束が押圧され、用紙束の幅方向に用紙束が移動する。
【００２２】
また、綴じ処理装置３００には、図の上下方向に移動し用紙束の幅方向と直交する方向に用紙束を移動させる第２移動部材８２と、第１移動部材８１および第２移動部材８２を移動させる移動用モータＭ１とが設けられている。
【００２３】
図３の矢印４Ａで示すように、綴じユニット５００は、用紙の幅方向に移動可能に設けられている。そして、綴じユニット５００は、例えば、用紙束の幅方向において異なる箇所に位置する２点（（Ａ）位置と（Ｂ）位置）にて、綴じ処理（２点綴じ処理）を行う。
また、綴じユニット５００は、図３の（Ｃ）位置へ移動し、用紙束の角部にて綴じ処理（１点綴じ）を行う。（Ａ）位置と（Ｂ）位置との間では、綴じユニット５００は直線的に移動するが、（Ａ）位置と（Ｃ）位置との間では、綴じユニット５００は、例えば４５°の回転を伴いながら移動する。
【００２４】
用紙規制部７４は、底板７０Ａに対向配置される対向部７０Ｃを有している。この対向部７０Ｃは、用紙束のうちの最も上に重ねられた用紙に接触して、用紙束の厚み方向における用紙の移動を規制する。また、本実施形態では、用紙規制部７４および第２移動部材８２が設けられていない箇所にて、綴じユニット５００による綴じ処理が行われる。具体的には、図３に示すように、図の左側に位置する用紙規制部７４と第２移動部材８２との間、および、図の右側に位置する用紙規制部７４と第２移動部材８２との間にて、綴じユニット５００による綴じ処理が行われる。また、図の右側の用紙規制部７４に隣接する箇所（用紙束の角部）にて綴じ処理が行われる。
【００２５】
なお、図３に示すように、底板７０Ａには、３つの切り欠き７０Ｄが設けられている。これにより、用紙集積部７０と綴じユニット５００との干渉が避けられる。また、綴じユニット５００が移動する際、第２移動部材８２は、図３の符号４Ｂに示す位置へ移動する。これにより、綴じユニット５００と第２移動部材８２との干渉が避けられる。
【００２６】
＜綴じユニット５００の構造＞
次に、本実施の形態が適用される綴じユニット５００について説明する。
本実施の形態が適用される綴じユニット５００は、針を用いずに記録材束（用紙束）を綴じる綴じ装置として機能する。例えば２枚〜１０枚の用紙束について、上歯と下歯とを用いて押圧することで、用紙束を綴じる。このとき、綴じ処理の安定性を向上させるため、綴じ処理を行う前に、用紙押え部は用紙束の厚み方向にて移動し、用紙束をその厚み方向から押える必要がある。しかしながら、用紙押え部における厚み方向の移動を実現させるために、用紙押え部は複雑な構成、例えば専用の用紙押え部をその厚み方向にて移動させる移動機構等を採用する必要がある。
本実施の形態が適用される綴じユニット５００では、後述するような簡易な構成を有する機構により、厚み方向から記録材束を押えることができる。
【００２７】
まず、綴じユニット５００の構造について、図４〜図１１を用いて説明する。図４は本実施の形態が適用される綴じユニット５００の斜視図である。図５は綴じユニット５００の綴じ構造５０を説明するための図、図６は綴じユニット５００の綴じ補助部７００を説明するための図である。また、図７は綴じユニット５００の綴じ構造５０における押し出しリンク６０を説明するための図、図８は綴じユニット５００の筐体９０を説明するための図である。更に、図９は、綴じユニット５００の上方当接部７１０およびその周囲の構成を説明するための図、図１０は、綴じユニット５００の下方当接部７２０およびその周囲の構成を説明するための図、図１１は、綴じユニット５００の上方当接部７１０と下方当接部７２０との構造を説明するための概念図である。
【００２８】
本実施の形態が適用される綴じユニット５００は、図４に示すように、針無しで用紙束を綴じる綴じ構造５０と、綴じ構造５０の綴じ動作を行う前に用紙集積部７０（図２参照）に置かれた用紙束を押え、かつ綴じ構造５０の綴じ動作を行う前後に綴じ構造５０に付着されている紙粉を清掃する綴じ補助部７００と、綴じ構造５０および綴じ補助部７００の動作を駆動する駆動部８００と、綴じ構造５０、綴じ補助部７００および駆動部８００を支持する筐体９０とを備えている。
なお、以下の説明において、図３に示した用紙束の幅方向を単に「幅方向」とし、用紙束の厚み方向を「上下方向」として説明する。また、搬送される用紙束の搬送方向を「出入方向」とし、綴じ構造５０が用紙束の厚み方向の一方および他方から用紙束を押圧する方向を単に「押圧方向」として説明する。ここで、「押圧方向」は、「上下方向」に押圧するときの方向である。
【００２９】
まず、綴じ構造５０について、図４、図５および図７を用いて説明する。
綴じ構造５０は、上歯６１を一端に有し、厚み方向において用紙束を押圧して変形させるためのアッパーアーム５１と、上歯６１に対峙する下歯６２を一端に有し、厚み方向において用紙束を押圧して変形させるためのロウアーアーム５２とを有している。また、綴じ構造５０は、アッパーアーム５１およびロウアーアーム５２を連結するシャフトアーム５３を有している。更に、綴じ構造５０は、ロウアーアーム５２を上下方向に移動させる押し出しリンク６０を有している。ここで、上歯６１および/またはアッパーアーム５１は、上方側（一方側）にある綴じ部として機能し、下歯６２および/またはロウアーアーム５２は、下方側（他方側）にある綴じ部として機能する。また、シャフトアーム５３は、綴じ部支点として機能する。
なお、以下の説明において、上歯６１および下歯６２が用紙束を押圧する領域を「押圧領域」とし、上歯６１および下歯６２が噛み合い、用紙束を押圧して綴じる際の作用点を「押圧作用点」として説明する。
【００３０】
アッパーアーム５１は、上歯６１を有する一端部５１１と、この一端部５１１から一体的に屈曲してＣ字状に延びる他端部５１２とを有する。また、アッパーアーム５１は、屈曲する一端部５１１と他端部５１２との間の屈曲点の近傍にてアッパーアーム５１を支持する支持部５１３を有している。
他端部５１２には、アッパーアーム５１に向けて押し出しリンク６０によりロウアーアーム５２を押し出すための起点となるリンク連結穴５１５を有している。リンク連結穴５１５には、シャフトレバーロウアー６４（後述）が挿入される。このリンク連結穴５１５およびシャフトレバーロウアー６４は、押し出しリンク６０の動きの起点部となる。また、支持部５１３には、アッパーアーム５１の回転中心となる回転中心穴５１６（図９参照）が設けられている。
【００３１】
ロウアーアーム５２は、アーム構造を有し、下歯６２を有する一端部５２１と、この一端部５２１からほぼ一方向に延びる他端部５２２とを有している。
下歯６２を有する一端部５２１側には、ロウアーアーム５２をアッパーアーム５１に向けて押し出すための押し出しリンク６０の作用点に対峙する凹部５２３が設けられている。押し出しリンク６０の作用点には、後述するシャフトレバーアッパー６３が設けられている。そして、この凹部５２３の断面は、このシャフトレバーアッパー６３よりも径が同等か大きい湾曲形状を形成しており、ロウアーアーム５２の一端部５２１にて、下歯６２を有する箇所の略鉛直下方に設けられている。この凹部５２３およびシャフトレバーアッパー６３は、押し出しリンク６０の動きの作用点である。
【００３２】
ロウアーアーム５２の他端部５２２には、ロウアーアーム５２の回転中心となる回転中心穴５２６が設けられており、アッパーアーム５１の回転中心である回転中心穴５１６（図９参照）と同軸にてシャフトアーム５３によりロウアーアーム５２を回転可能に保持している。そして、シャフトアーム５３は、この両端部に径小部５３１を有しており、この径小部５３１が筐体９０（左側ガイド９１および右側ガイド９２）に設けられた長穴状の切り欠き（アームガイド９５３）に係合している。
これによって、シャフトアーム５３は、後述する出入方向移動の成分を有して移動可能に構成され、アッパーアーム５１とロウアーアーム５２とを出入方向（用紙束が出入する方向）に移動可能に保持している。
【００３３】
なお、以下の説明において、アッパーアーム５１および上歯６１と、ロウアーアーム５２および下歯６２とが、シャフトアーム５３の移動によって綴じ径路に沿う移動する軌跡を単に「移動軌跡」とする。また、アッパーアーム５１および上歯６１と、ロウアーアーム５２および下歯６２とが綴じ径路に沿う移動の中、用紙束を押圧する方向の押圧方向の移動を「押圧方向移動」とし、用紙束を押圧する押圧領域に対して出入方向にての移動を「出入方向移動」として説明する。
【００３４】
次に、アッパーアーム５１に設けられるリンク連結穴５１５（図５参照）を起点として動作する押し出しリンク６０について、図４、図５および図７を用いて説明する。
【００３５】
綴じ構造５０における押し出しリンク６０は、レバー５６とリンク５７との伸縮動作によって、ロウアーアーム５２を上下方向に移動させている。レバー５６とリンク５７との連結箇所（ジョイント）にはスピンドル５８が設けられている。
【００３６】
レバー５６は、スピンドル５８と連結する連結部５６１と、連結部５６１から延びる本体部５６２とを有している。本体部５６２の一端には、後述するカム５４と接触する接触面５６３が設けられ、本体部５６２の他端には、ロウアーアーム５２を押し上げる押し上げ部５６４が設けられている。押し上げ部５６４には、ロウアーアーム５２に接触するシャフトレバーアッパー６３が取り付けられている。シャフトレバーアッパー６３は円筒形状を有しており、この両端部には、径が小さい径小部６３１が形成され、ガイド部材（後述する左側ガイド９１および右側ガイド９２）に設けられた切り欠き（後述する押し上げガイド９６３）に係合している。円筒形状であるシャフトレバーアッパー６３は、ロウアーアーム５２の湾曲形状である凹部５２３（図５参照）に接触している、円筒形状と湾曲形状とで接触することで、接触箇所に自由度を持たせている。
【００３７】
リンク５７は、スピンドル５８と連結する連結部５７１を一端に有し、シャフトレバーロウアー６４によって、アッパーアーム５１のリンク連結穴５１５と連結する起点連結部５７２を他端に有している。この起点連結部５７２は、押し出し部である押し出しリンク６０の起点として機能し、シャフトレバーアッパー６３は、押し出しリンク６０の作用点として機能する。押し出し部である押し出しリンク６０は、押し出しの起点となる起点部から作用点までの距離を変化させてロウアーアーム５２の一端部５２１をアッパーアーム５１の一端部５１１に向けて押し出している。
【００３８】
スピンドル５８は円筒形状を有しており、この両端部に設けられ平面部を有する板状部５８１は、ガイド部材（左側ガイド９１および右側ガイド９２）に設けられた切り欠き（スピンドルガイド９５８）に係合している。
【００３９】
アッパーアーム５１および押し出しリンク６０を連結するシャフトレバーロウアー６４は、円筒形状であり、この円筒の両端部に径小部６４１が設けられ、ガイド部材（左側ガイド９１および右側ガイド９２）に設けられた切り欠き（ロウアーガイド９６４）に係合している。
【００４０】
次に、綴じ補助部７００について、図４および図６を用いて説明する。
綴じ補助部７００は、用紙束の厚み方向の上方から用紙束を押える上方当接部７１０と、用紙束の厚み方向の下方から用紙束を支持する下方当接部７２０とを備えている。上方当接部７１０には、上歯６１を清掃する上歯清掃部８１０が設けられ、下方当接部７２０には、下歯６２を清掃する下歯清掃部８２０が備えられている。上歯清掃部８１０は、清掃先端の向きが上方成分を有するように上方当接部７１０に取り付けられ、下歯清掃部８２０は、清掃先端の向きが下方成分を有するように下方当接部７２０に取り付けられている。
【００４１】
上方当接部７１０は、アッパーアーム５１に固定されている上方連結部７５０により、アッパーアーム５１の動きに対して連動可能であるとともに、アッパーアーム５１に対してスライド可能に連結されている。また、上方当接部７１０は、その他端が、回転中心軸７１７によってガイド部材（左側ガイド９１および右側ガイド９２）に設けられた穴（ガイド９７１）に対して回転可能に設けられている。
【００４２】
また、下方当接部７２０は、ロウアーアーム５２に固定されている下方連結部７７０により、ロウアーアーム５２の動きに対して連動可能であるとともに、ロウアーアーム５２に対してスライド可能に連結されている。また、下方当接部７２０は、その他端が、回転中心軸７２７によってガイド部材（左側ガイド９１および右側ガイド９２）に設けられた穴（ガイド９７２）に対して回転可能に設けられている。
【００４３】
次に、図４、図７および図８を用いて、筐体９０について説明する。
筐体９０は、綴じユニット５００の各構造物の動きをガイドする左側ガイド９１および右側ガイド９２と、左側ガイド９１および右側ガイド９２のそれぞれの外側に配置され、これらを固定する左側筐体９３および右側筐体９４を有している。
【００４４】
左側ガイド９１および右側ガイド９２は、スピンドル５８の板状部５８１の動きをガイドするスピンドルガイド９５８と、シャフトレバーアッパー６３の径小部６３１の動きをガイドする押し上げガイド９６３を有している。また、シャフトレバーロウアー６４の径小部６４１の動きをガイドするロウアーガイド９６４と、シャフトアーム５３の径小部５３１の動きをガイドするアームガイド９５３とを有している。また、上方当接部７１０の回転中心軸７１７を回転可能に支持するガイド９７１と、下方当接部７２０の回転中心軸７２７を回転可能に支持するガイド９７２とを有している。更に、後述するカム５４の回転軸を回転可能に支持するカム回転軸穴９５９,９６９を有している。
【００４５】
スピンドルガイド９５８、押し上げガイド９６３、ロウアーガイド９６４、およびアームガイド９５３は、長穴の形状を有し、この長穴の形状に沿った方向への部材の移動を許容する。それぞれの長穴は、出入方向成分および/または押圧方向（上下方向）成分を有しているが、押し上げガイド９６３とロウアーガイド９６４とは特に上下方向成分の部材の移動を許容し、スピンドルガイド９５８とアームガイド９５３とは特に出入方向成分の部材の移動を許容している。
【００４６】
ガイド９７１およびガイド９７２は、円形の穴であり、ガイド９７１は上方当接部７１０の回転中心軸７１７を回転可能に支持し、ガイド９７２は下方当接部７２０の回転中心軸７２７を回転可能に支持している。また、本実施の形態では、ガイド９７１およびガイド９７２はアームガイド９５３の近傍に形成されている。具体的には、ガイド９７１は、アームガイド９５３の上方、かつ出入方向にてアームガイド９５３の両端の間に形成され、ガイド９７２は、アームガイド９５３の下方、かつ出入方向にてアームガイド９５３の最も上流側の端よりも上流側に形成されている。よって、アームガイド９５３に係合している回転中心軸７１７および回転中心軸７２７（回転支点）は、シャフトアーム５３（押圧支点）がアームガイド９５３の出入方向の最も下流側に位置する際にシャフトアーム５３よりも出入方向の上流側に位置する。
【００４７】
このように、円形の穴であるガイド９７１およびガイド９７２によって回転運動を行なう上方当接部７１０および下方当接部７２０は、長穴の形状を有するアームガイド９５３によって移動するアッパーアーム５１およびロウアーアーム５２とは移動軌跡が異なる。この結果、後述する清掃部を取り付ける上方当接部７１０および下方当接部７２０は、上歯６１および下歯６２を有する綴じ部の移動軌跡とは異なることとなる。この移動軌跡の異なりを利用して、上歯６１および下歯６２の清掃を可能としている。
【００４８】
駆動部８００は、図４に示すように、駆動源となるモータ８３と、駆動を伝達するギア類８４とを有している。また、綴じユニット５００は、一律ではない運動を生み出すためのカム５４と、モータ８３からギア類８４を介して得た駆動力をカム５４に伝達する回転軸とを有している。本実施の形態では、カム５４に、シャフトアーム５３と、押し出しリンク６０（レバー５６の接触面５６３）と接触し、これらがカム５４の形状に合わせて予め定められた運動を行なっている。
【００４９】
カム５４は、図４に示すように、幅方向（カム５４の厚み方向）にて外径形状の異なる２つの偏心カムが同一軸で形成されている。この２つの偏心カムは、偏心量が共通するカム谷部と、偏心量が異なるカム山部とを有している。
【００５０】
＜綴じ補助部７００の更に詳細な説明＞
続いて、図４〜図６、図９および図１０を参照して綴じ補助部７００の構成について更に詳細に説明する。
綴じ補助部７００を構成する上方当接部７１０は、上方（一方側）から用紙束を支持する第１支持部として機能するとともに、規制機構として機能する。この上方当接部７１０は、アーム構造を有し、上歯清掃部８１０を支持する一端部７１１と、この一端部７１１からほぼ一方向に延びる他端部７１２と、一端部７１１および他端部７１２を連結する中央部７１３とを有している。また、上方当接部７１０には、図６に示すように、幅方向の中央部に、綴じ構造５０の上下方向の動きを許容する切り欠き７１４が設けられている。
【００５１】
図６に示すように、上方当接部７１０の一端部７１１は、上方（一方側）から用紙束を支持する第１支持部として機能し、用紙束を上方から押付けることができるように、幅方向および出入方向に延びる平面が形成されている。そして、一端部７１１の出入方向の下流側に上歯清掃部８１０が設けられ、一端部７１１の出入方向の上流側に、上歯６１の上下方向への移動を許容する切り欠き７１５が設けられている。
【００５２】
上方当接部７１０の他端部７１２には、上方当接部７１０の回転中心（回転支点）となる回転中心軸７１７が設けられている。この回転中心軸７１７は、上方当接部７１０（第１支持部）の予め定められた支点（回転支点）として機能する。
【００５３】
ここで、上方当接部７１０は、一端部７１１から他端部７１２に向けて一直線状に形成されているのではなく、中央部７１３が複数の屈曲点を備え、略Ｍ字状に形成されている。そして、この中央部７１３の出入方向の上流側部分（一端部７１１に近い部分）に連動溝７３０が形成されている。上方連結部７５０は、アッパーアーム５１の一端部５１１に固定されているが、この上方連結部７５０に設けられ円筒形状を有する径小部７５１が、この連動溝７３０に挿入されている。これによって、上方当接部７１０は、アッパーアーム５１の移動に対して連動可能となるように、アッパーアーム５１に連結されている。
【００５４】
連動溝７３０は、上方連結部７５０の径小部７５１を挿入するための溝である取付溝７３１と、この取付溝７３１から一端部７１１側（出入方向の上流側）に延び、この一端部７１１の出入方向に延びる平面とほぼ平行に形成されている溝である平行溝７３２と、この平行溝７３２から一端部７１１側にて屈曲して押圧方向の成分を有する方向に沿って延び、一端部７１１の平面に対してほぼ直交方向に形成されている溝である直交溝７３３とを有している。ここで、連動溝７３０は、規制機構として機能する。また、平行溝７３２は、伝達溝として機能し、直交溝７３３は、規制溝として機能する。
【００５５】
上方連結部７５０の径小部７５１は、連動溝７３０の取付溝７３１と、平行溝７３２と、直交溝７３３とに沿って移動する。この径小部７５１の動きと同様に、アッパーアーム５１の一端部５１１および上歯６１が移動する。そして、アッパーアーム５１の一端部５１１および上歯６１が平行溝７３２に沿って移動する際に、押圧方向の成分を有する押圧方向移動が平行溝７３２によって規制される。また、径小部７５１が平行溝７３２から直交溝７３３に入り、直交溝７３３に沿って移動するが、このことは、すなわち、アッパーアーム５１の一端部５１１および上歯６１の出入方向の成分を有する出入方向移動が直交溝７３３によって規制されることに等しい。
【００５６】
その後、アッパーアーム５１が有する上歯６１が移動して綴じ位置に到達し、用紙束に突き当たるが、このとき、直交溝７３３に沿う径小部７５１は、直交溝７３３の最も下方にある端ではなく、余裕をもった直交溝７３３の中間位置、すなわち、直交溝７３３の押圧方向の最も上方にある端および最も下方にある端の間に位置している。このため、上歯６１が用紙束に突き当たった際に、その前に用紙束と接触していた上方当接部７１０が、用紙束から離れる方向（押圧方向の上方）に移動する余裕が与えられている。すなわち、上歯６１が用紙束に強く押圧されると、用紙束の押された箇所の周囲が持ち上がり、上方当接部７１０にも持ち上がる力が加わるが、直交溝７３３の溝の長さに余裕があることで、上方当接部７１０の持ち上がりを許容し、上歯６１による押圧を妨げない。
【００５７】
下方当接部７２０は、下方（他方側）から用紙束を支持する第２支持部として機能するとともに、規制機構として機能する。下方当接部７２０は、アーム構造を有し、下歯清掃部８２０を支持する一端部７２１と、この一端部７２１から一方向に延びる他端部７２２と、一端部７２１および他端部７２２を連結する中央部７２３とを有している。また、下方当接部７２０には、図６に示すように、幅方向の中央部に、綴じ構造５０の上下方向の動きを許容する切り欠き７２４が設けられている。
【００５８】
図６に示すように、下方当接部７２０の一端部７２１は、下方（他方側）から用紙束を支持する第２支持部として機能し、用紙束を下方から押付けることができるように、幅方向および出入方向に延びる平面が形成されている。そして、一端部７２１の出入方向の下流側に下歯清掃部８２０が設けられ、一端部７２１の出入方向の上流側に、下歯６２の上下方向への移動を許容する切り欠き７２５が設けられている。
【００５９】
下方当接部７２０の他端部７２２には、下方当接部７２０の回転中心（回転支点）となる回転中心軸７２７が設けられている。この回転中心軸７２７は、下方当接部７２０（第２支持部）の予め定められた支点（回転支点）として機能する。
【００６０】
下方当接部７２０の中央部７２３には、出入方向の上流側部分（一端部７２１に近い部分）に連動溝７４０が形成されている。下方連結部７７０は、ロウアーアーム５２の一端部５２１に固定されているが、この下方連結部７７０に設けられ円筒形状を有する径小部７７１が、この連動溝７４０に挿入されている。これによって、下方当接部７２０は、ロウアーアーム５２の移動に対して連動可能となるように、ロウアーアーム５２に連結されている。
【００６１】
連動溝７４０は、下方連結部７７０の径小部７７１を挿入するための溝である取付溝７４１と、この取付溝７４１から一端部７２１側に延び、この一端部７２１の出入方向に延びる平面とほぼ平行に形成されている溝である平行溝７４２と、この平行溝７４２から一端部７２１側にて屈曲して延び、一端部７２１の平面に対してほぼ直交方向に形成されている溝である直交溝７４３とを有している。ここで、連動溝７４０は、規制機構として機能する。また、平行溝７４２は、伝達溝として機能し、直交溝７４３は、規制溝として機能する。
【００６２】
下方連結部７７０の径小部７７１（ロウアーアーム５２の一端部５２１および下歯６２）は、連動溝７４０の取付溝７４１と、平行溝７４２と、直交溝７４３とに沿って移動する。この径小部７７１の動きと同様に、ロウアーアーム５２の一端部５２１および下歯６２が移動する。そして、ロウアーアーム５２の一端部５２１および下歯６２が平行溝７４２に沿って移動する際に、押圧方向の成分を有する押圧方向移動が平行溝７４２によって規制される。また、径小部７７１が平行溝７４２から直交溝７４３に入り、直交溝７４３に沿って移動するが、このことは、すなわち、ロウアーアーム５２の一端部５２１および下歯６２の出入方向の成分を有する出入方向移動が直交溝７４３によって規制されることに等しい。
【００６３】
その後、ロウアーアーム５２が有する下歯６２が移動して綴じ位置に到達し、用紙束に突き当たるが、このとき、直交溝７４３に沿う径小部７７１は、直交溝７４３の最も上方にある端ではなく、余裕をもった直交溝７４３の中間位置、すなわち、直交溝７４３の押圧方向の最も上方にある端および最も下方にある端の間に位置している。このため、下歯６２が用紙束に突き当たった際に、その前に用紙束と接触していた下方当接部７２０が、用紙束から離れる方向（押圧方向の下方）に移動する余裕が与えられている。すなわち、下歯６２が用紙束に強く押圧されると、用紙束の押された箇所の周囲が持ち上がり、下方当接部７２０にも持ち上がる力が加わるが、直交溝７４３の溝の長さに余裕があることで、用紙束の持ち上がりに起因した下方当接部７２０の下方への移動を許容し、下歯６２による押圧を妨げない。
【００６４】
＜上歯清掃部８１０および下歯清掃部８２０の構成＞
上歯清掃部８１０は、上歯６１を清掃するための先端８１１と、上方当接部７１０の一端部７１１に取り付けるための取付端８１２とを有している。本実施の形態では、上歯清掃部８１０はブラシ構造によって形成され、上歯清掃部８１０の先端８１１は上方を向き、下方に向いて出入方向に対し平行に延びている歯を有する歯型が形成される上歯６１の歯を清掃する。清掃に際し、ブラシ構造である上歯清掃部８１０の先端８１１が上歯６１との接触によって撓み、上歯６１に付着した紙粉を取り除く。
上歯清掃部８１０は、用紙束が搬送される前であって、アッパーアーム５１とロウアーアーム５２とが開いている状態では上歯６１よりも出入方向の上流側に位置している。そして、アッパーアーム５１とロウアーアーム５２とが綴じ動作を行なう途中で上歯６１と接触する。その後、上方当接部７１０と下方当接部７２０によって用紙束を押さえる際には、上歯６１よりも出入方向の下流側に位置している。
【００６５】
下歯清掃部８２０は、下歯６２を清掃するための先端８２１と、下方当接部７２０の一端部７２１に取り付けるための取付端８２２とを有している。本実施の形態では、下歯清掃部８２０はブラシ構造によって形成され、下歯清掃部８２０の先端８２１は下方を向き、上方に向いて出入方向に対し平行に延びている歯を有する歯型が形成される下歯６２の歯を清掃する。清掃に際し、ブラシ構造である下歯清掃部８２０の先端８２１が下歯６２との接触によって撓み、下歯６２に付着した紙粉を取り除く。
下歯清掃部８２０は、用紙束が搬送される前であって、アッパーアーム５１とロウアーアーム５２とが開いている状態では下歯６２よりも出入方向の上流側に位置している。そして、アッパーアーム５１とロウアーアーム５２とが綴じ動作を行なう途中で下歯６２と接触する。その後、上方当接部７１０と下方当接部７２０によって用紙束を押さえる際には、下歯６２よりも出入方向の下流側に位置している。
【００６６】
なお、本実施の形態では、上歯清掃部８１０および下歯清掃部８２０は、ブラシ構造によって形成したが、ブラシ構造に変えて、例えば、歯型に合わせて曲げが形成された板金構造によって形成することもできる。この板金構造によれば、清掃に際し、上歯清掃部８１０の先端８１１が上歯６１の歯の形状に合わせて上歯６１に食い込むことによって、上歯清掃部８１０が上歯６１に付着した紙粉を取り除き、また、下歯清掃部８２０の先端８２１が下歯６２の歯の形状に合わせて下歯６２に食い込むことによって、下歯清掃部８２０が下歯６２に付着した紙粉を取り除く。
【００６７】
＜上方当接部７１０および下方当接部７２０の構成＞
続いて、図１１を用いて、上方当接部７１０および下方当接部７２０の構成について説明する。
上方当接部７１０の回転中心軸７１７、すなわち上方当接部７１０の支点は、筐体９０（図４参照）に設けられた円状の穴であるガイド９７１によって位置が定められている。前述のように、ガイド９７１はアームガイド９５３の上方、かつ出入方向にてアームガイド９５３の両端の間に形成されており、上方当接部７１０の回転中心軸７１７（上方当接部７１０の支点）もガイド９７１と同様な位置関係にある。
上方当接部７１０の一端部７１１の位置は、上方当接部７１０の回転によって、回転中心軸７１７を中心としＲ１を半径とする円の一部の円弧上に移動する。このＲ１は、図１１に示すように、回転中心軸７１７から用紙束と接触して押圧する一端部７１１の平面の中央（以下、一端部７１１の平面の中央を単に「一端部７１１」とする）までの長さである。
【００６８】
同様に、下方当接部７２０の回転中心軸７２７、すなわち下方当接部７２０の支点は、筐体９０（図４参照）に設けられた円状の穴であるガイド９７２によって位置が定められている。前述のように、ガイド９７２はアームガイド９５３の下方、かつ出入方向にてアームガイド９５３の最も上流側の端よりも上流側に形成されており、下方当接部７２０の回転中心軸７２７（下方当接部７２０の支点）もガイド９７２と同様な位置関係にある。
下方当接部７２０の一端部７２１の位置は、下方当接部７２０の回転によって、回転中心軸７２７を中心としＲ２を半径とする円の一部の円弧上に移動する。このＲ２は、図１１に示すように、回転中心軸７２７から用紙束と接触して押圧する一端部７２１の平面の中央（以下、一端部７２１の平面の中央を単に「一端部７２１」とする）までの長さである。また、Ｒ２は、Ｒ１より短い。
【００６９】
続いて、初期状態と、用紙束を押える押え状態とを分けて、上方当接部７１０の一端部７１１および下方当接部７２０の一端部７２１の位置関係について詳細に説明する。
ここで、初期状態とは、図１１の実線に示すように、シャフトアーム５３がアームガイド９５３の出入方向の最も下流側に位置し、かつ上方当接部７１０と下方当接部７２０との開口が最大となっている状態である。また、押え状態とは、図１１の破線に示すように、シャフトアーム５３がアームガイド９５３の出入方向の最も上流側に位置し、かつ上方当接部７１０の一端部７１１と下方当接部７２０の一端部７２１とが用紙束の厚み方向の両側から用紙束を押えた状態である。
【００７０】
初期状態において、回転中心軸７１７および回転中心軸７２７とも、シャフトアーム５３よりも上流側に位置する。また、上方当接部７１０の一端部７１１の平面は、上方に向けて傾斜している。ここでは、上方当接部７１０の一端部７１１の平面の傾斜率を、Ｈ１／Ｄ１としている。なお、Ｈ１は、傾斜率を定める際の、一端部７１１の初期状態から押え状態までの上下方向の距離である。また、Ｄ１は、傾斜率を定める際に、初期状態における一端部７１１の平面を延長したときの一端部７１１の出入方向の距離である。また、図１１に示すように、Ｄ１はＨ１より長く、Ｄ１はＨ１の約４倍である。そのため、Ｈ１／Ｄ１の値は約１/４であり、シャフトアーム５３から一端部７１１が傾斜する角度θ１（傾斜率）は、出入方向に対して約１４°となる。約１４°の傾斜率は、上方当接部７１０の一端部７１１による開口の大きさＨ１を確保するものとしては小さいと解釈できる。すなわち、上方当接部７１０の一端部７１１の傾斜率が小さく形成され、上方当接部７１０の一端部７１１は出入方向に対し、比較的、平行に近い状態にある。
【００７１】
また、下方当接部７２０の一端部７２１は、下方に向けて傾斜している。このとき、下方当接部７２０の一端部７２１の傾斜率を、Ｈ２／Ｄ２としている。また、図１１に示すように、Ｄ２はＨ２と比べると、極めて長く形成されており、例えば、Ｄ２は、Ｈ２の約６５倍である。そのため、下方当接部７２０の一端部７２１の傾斜率であるＨ２／Ｄ２の値が０に近く、上方当接部７１０の一端部７１１は出入方向とほぼ平行な状態にある。
【００７２】
一方、押え状態では、シャフトアーム５３が出入方向の上流側に移動する。この移動した状態において、回転中心軸７１７は、シャフトアーム５３よりも下流側に位置し、回転中心軸７２７は、シャフトアーム５３よりも上流側に位置する。また、上方当接部７１０の一端部７１１の平面および下方当接部７２０の一端部７２１の平面は、出入方向と平行な状態で用紙束を押える。
【００７３】
前述の初期状態から押え状態に移行する過程において、上方当接部７１０の一端部７１１の平面は出入方向とほぼ平行に近い状態から押え状態となり、下方当接部７２０の一端部７２１の平面は出入方向に対して極めて平行に近い状態から押え状態になる。よって、上方当接部７１０の一端部７１１と、下方当接部７２０の一端部７２１とは、回転運動によって近づくにも関わらず、両者の平面部は、出入方向に対して平行に近い状態を保ちながら、用紙束を押えることができる。
【００７４】
また、ここでは、下方当接部７２０の一端部７２１における上下方向の移動量Ｈ２は、上方当接部７１０の一端部７１１における上下方向の移動量Ｈ１よりも小さい。そのため、上方当接部７１０の回転中心軸７１７は、下方当接部７２０の回転中心軸７２７よりも出入方向の下流側に設けられている。言い換えれば、上方当接部７１０の一端部７１１および下方当接部７２０の一端部７２１にて、出入方向の押さえ位置を同じとし、下方当接部７２０の長さＲ２は、上方当接部７１０の長さＲ１よりも短く構成されている。
【００７５】
更に、上方当接部７１０の一端部７１１の初期状態を出入方向と平行に近い状態にするためには、一端部７１１の傾斜率（Ｈ１／Ｄ１）を小さくする必要がある。そのためには、Ｈ１を低くし、および／またはＤ１を長くすることが必要である。
ここで、上述したように、上方当接部７１０の一端部７１１の移動は、アッパーアーム５１の一端部５１１の移動に連動し、アッパーアーム５１の一端部５１１の移動は、連結されているシャフトアーム５３の移動によって行われる。このため、上方当接部７１０の一端部７１１は、シャフトアーム５３の移動に連動して移動することとなる。よって、上記のＨ１を短くするためには、初期状態において、シャフトアーム５３を上方当接部７１０の回転中心軸７１７よりも出入方向の下流側に配置することが好ましい。
また、Ｄ１を長くすることによって、上方当接部７１０の一端部７１１の平面を出入方向に対してより平行に近い状態から用紙束の厚み方向に沿って移動し、その厚み方向の上方から下方に向けて用紙束を押さえることができる。
【００７６】
＜綴じユニット５００の動作＞
続いて、本実施の形態が適用される綴じユニット５００の動作について説明する。
綴じユニット５００の動作は、用紙処理制御部２３の制御のもと、モータ８３の駆動をギア類８４を介して受けたカム５４の動きによってなされる。本実施の形態では、カム５４による単一カムの回転によって、綴じユニット５００の動き、すなわち、綴じ構造５０および綴じ補助部７００の動きが可能となっている。
【００７７】
具体的には、カム５４の回転によって、カム５４はシャフトアーム５３および押し出しリンク６０と接触する。この過程において、カム５４がまずシャフトアーム５３と接触し、シャフトアーム５３が、カム５４の形状の変化に従ってアームガイド９５３（図８参照）の出入方向の下流側から上流側に向けて移動する。この移動によってアッパーアーム５１およびロウアーアーム５２は退避位置から突出位置（綴じ位置）に移動し、すなわち出入方向の下流側から上流側に向けての移動を行う。その後、カム５４はシャフトアーム５３との接触を解消し、押し出しリンク６０と接触し始める。この押し出しリンク６０との接触によって、押し出しリンク６０は圧縮された状態から伸び上がり、ロウアーアーム５２に取り付けられている下歯６２がアッパーアーム５１に取り付けられている上歯６１に向けて押し出される。一方、上歯６１が取り付けられているアッパーアーム５１の一端部５１１は、アッパーアーム５１の他端部５１２がシャフトレバーロウアー６４の動きによって下方に移動することで、ロウアーアーム５２に向けて押し出される。このようにして、アッパーアーム５１およびロウアーアーム５２は上下方向の移動を行う。
【００７８】
＜綴じ補助部７００の動作＞
続いて、綴じ補助部７００の動作を図１２−１〜図１２−４を用いて詳細に説明する。図１２−１は、綴じ補助部７００が用紙束と接触する前の初期状態を説明するための図であり、図１２−２は、綴じ補助部７００の上歯清掃部８１０及び下歯清掃部８２０が上歯６１および下歯６２を清掃する状態を説明するための図である。また、図１２−３は、綴じ補助部７００の上方当接部７１０および下方当接部７２０が用紙束と接触する直前の綴じ補助部７００の各構成部品の状態を説明するための図であり、図１２−４は、綴じ補助部７００の上方当接部７１０および下方当接部７２０が用紙束と接触するときの綴じ補助部７００の各構成部品を説明するための図である。
【００７９】
綴じ補助部７００は、上述したアッパーアーム５１およびロウアーアーム５２の移動に連動する。カム５４の回転が開始する前の、綴じ補助部７００の初期状態では、図１２−１に示すように、カム５４の山部（長径部）は、シャフトアーム５３とは接触しているが、押し出しリンク６０とは接触していない状態にある。この初期状態において、シャフトアーム５３がカム５４に押し付けられ、シャフトアーム５３はアームガイド９５３の出入方向の最も下流側に位置する。よって、シャフトアーム５３に支持されているアッパーアーム５１およびロウアーアーム５２も、出入方向の最も下流側の退避位置にある。
【００８０】
また、カム５４の山部（長径部）と押し出しリンク６０とが接触していないことによって、押し出しリンク６０が最も圧縮された状態にある。このとき、ロウアーアーム５２は押し出しリンク６０と接触していない状態にあるため、ロウアーアーム５２は自らの可動範囲の最も下方に位置する。一方で、このとき、シャフトレバーロウアー６４（アッパーアーム５１の他端部５１２）がロウアーガイド９６４の上下方向の最も上方側に位置しており、アッパーアーム５１の一端部５１１も自らの可動範囲の最も上方側に位置している。このようにして、アッパーアーム５１とロウアーアーム５２との開口が最大となっている。
【００８１】
更に、このとき、アッパーアーム５１と連結している上方当接部７１０は、アッパーアーム５１とともに、自らの可動範囲の最も上方側に位置する。また、上方当接部７１０の回転中心軸７１７は出入方向および上下方向にて移動しないため、シャフトアーム５３がアームガイド９５３の出入方向の最も下流側の端に位置した状態にて、上方連結部７５０の径小部７５１も上方当接部７１０の平行溝７３２の最も下流側に位置する。そして、上方当接部７１０の一端部７１１は、上歯６１（一端部５１１）に対して出入方向の最も上流側に位置する。この場合において、一端部７１１に取り付けられている上歯清掃部８１０は、アッパーアーム５１の一端部５１１に取り付けられている上歯６１によりも出入方向の上流側に位置している。なお、このときは清掃を開始する前であり、上歯清掃部８１０は、上歯６１と接触しない。
【００８２】
同様に、このとき、ロウアーアーム５２と連結している下方当接部７２０は、ロウアーアーム５２とともに、自らの可動範囲の最も下方側に位置する。また、下方当接部７２０の回転中心軸７２７は出入方向および上下方向にて移動しないため、シャフトアーム５３がアームガイド９５３の出入方向の最も下流側の端に位置した状態にて、下方連結部７７０の径小部７７１も下方当接部７２０の平行溝７４２の最も下流側に位置する。そして、下方当接部７２０の一端部７２１は、下歯６１（一端部５２１）に対して出入方向の最も上流側に位置する。この場合において、一端部７２１に取り付けられている下歯清掃部８２０は、ロウアーアーム５２の一端部５２１に取り付けられている下歯６２によりも出入方向の上流側に位置している。なお、このときは清掃を開始する前であり、下歯清掃部８２０は、下歯６２と接触しない。
【００８３】
その後、カム５４の回転によって、図１２−２に示すように、カム５４とシャフトアーム５３との接触位置が変わり、シャフトアーム５３はアームガイド９５３に沿ってアームガイド９５３の出入方向の上流側に向けて移動する。そして、アッパーアーム５１およびロウアーアーム５２は、綴じ径路に沿って移動する。具体的には、アッパーアーム５１およびロウアーアーム５２は、出入方向の最も下流側の退避状態から上流側に向けて移動するとともに、向かい合う両者の距離が次第に短くなる。そのとき、カム５４は押し出しリンク６０と接触せず、ロウアーアーム５２は押し出しリンク６０とも接触していない。
【００８４】
また、このとき、上方当接部７１０の回転中心軸７１７は出入方向および上下方向にて移動しないため、アッパーアーム５１が出入方向の上流側に向け移動すると、上方連結部７５０の径小部７５１は、上方当接部７１０の平行溝７３２に沿って平行溝７３２の上流側に向けて移動し、上方当接部７１０の一端部７１１は、アッパーアーム５１の一端部５１１と相対的にスライド移動する。このとき、上歯清掃部８１０は、上方当接部７１０の一端部７１１に取り付けられていることから、アッパーアーム５１の一端部５１１に取り付けられている上歯６１に対して出入方向の入る方向の上流側から下流側に相対的にスライド移動し、上歯６１と接触して、更にスライド移動する。この上歯清掃部８１０と上歯６１とが接触して更にスライド移動する過程において、上歯清掃部８１０の先端８１１が上歯６１に接触し、この先端８１１が撓んで上歯６１を清掃する。
【００８５】
同様に、下方当接部７２０の回転中心軸７２７は出入方向および上下方向にて移動しないため、ロウアーアーム５２が出入方向の上流側に向け移動すると、下方連結部７７０の径小部７７１は、下方当接部７２０の平行溝７４２に沿って平行溝７４２の上流側に向けて移動し、下方当接部７２０の一端部７２１は、ロウアーアーム５２の一端部５２１と相対的にスライド移動する。このとき、下歯清掃部８２０は、下方当接部７２０の一端部７２１に取り付けられていることから、ロウアーアーム５２の一端部５２１に取り付けられている下歯６２に対して相対的にスライド移動し、下歯６２と接触して、更にスライド移動する。この下歯清掃部８２０と下歯６２と接触して更にスライド移動する過程において、下歯清掃部８２０の先端８２１が下歯６２に接触し、先端８２１が撓んで下歯６２を清掃する。
【００８６】
その後、カム５４の回転によって、図１２−３に示すように、カム５４とシャフトアーム５３との接触位置が更に変わり、シャフトアーム５３はアームガイド９５３に沿ってアームガイド９５３の出入方向の更に上流側に移動する。アッパーアーム５１およびロウアーアーム５２も、図１２−２に示す位置から更に上流側に向けて移動し、向かい合う両者の距離が更に短くなる。
【００８７】
また、アッパーアーム５１が出入方向の上流側に向けて移動すると、アッパーアーム５１と一体である上方連結部７５０の径小部７５１は、上方当接部７１０の平行溝７３２に沿って平行溝７３２の更に出入方向の上流側に向けて移動する。このため、上方当接部７１０の一端部７１１は、アッパーアーム５１の一端部５１１と相対的にスライド移動し続ける。よって、この一端部７１１に取り付けられている上歯清掃部８１０は、アッパーアーム５１の一端部５１１に取り付けられている上歯６１に対して相対的にスライド移動し続け、上歯６１に対して接触状態から離間状態に移行し、上歯６１と下歯６２との綴じ処理前における上歯６１の清掃が終了する。
【００８８】
同様に、ロウアーアーム５２が出入方向の上流側に向けて移動すると、ロウアーアーム５２と一体である下方連結部７７０の径小部７７１は、下方当接部７２０の平行溝７４２に沿って平行溝７４２の更に出入方向の上流側に向けて移動する。このため、下方当接部７２０の一端部７２１は、ロウアーアーム５２の一端部５２１と相対的にスライド移動し続ける。よって、この一端部７２１に取り付けられている下歯清掃部８２０は、ロウアーアーム５２の一端部５２１に取り付けられている下歯６２に対して相対的にスライド移動し続け、下歯６２に対して接触状態から離間状態に移行し、上歯６１と下歯６２との綴じ処理前における下歯６２の清掃が終了する。
【００８９】
その後、カム５４の更なる回転によって、図１２−４に示すように、カム５４の山部（長径部）は、シャフトアーム５３と接触しない状態となり、シャフトアーム５３は、アームガイド９５３の出入方向の最も上流側に位置し、アッパーアーム５１およびロウアーアーム５２は出入方向の上流側に最も突出する状態となる。一方で、カム５４の山部（長径部）は、押し出しリンク６０と接触する状態となり、カム５４と押し出しリンク６０との接触によって、押し出しリンク６０は圧縮状態から伸張状態に移行し、伸張の途中にてロウアーアーム５２と連結（接触）し、その後、伸張動作を続けることで、このロウアーアーム５２を上方に向けて押し出す。押し出しリンク６０がロウアーアーム５２と連結（接触）した後の伸張の途中にて、下方当接部７２０は、ロウアーアーム５２と連動して上方向（用紙束の下方の面）に向けて移動する。
【００９０】
この押し出しリンク６０が伸張することで、このタイミングにて、シャフトレバーロウアー６４（アッパーアーム５１の他端部５１２）がロウアーガイド９６４の上下方向の下方に向けて移動し、アッパーアーム５１の一端部５１１も下方に向けて移動する。このアッパーアーム５１の一端部５１１の下方向の移動過程にて、上方当接部７１０は、アッパーアーム５１と連動して下方向（用紙束の上方の面）に向けて移動する。
そして、カム５４の更なる回転によって、上方当接部７１０の一端部７１１および下方当接部７２０の一端部７２１は、アッパーアーム５１の一端部５１１に取り付けられている上歯６１およびロウアーアーム５２の一端部５２１に取り付けられている下歯６２よりも先に、用紙束に接触して、用紙束を押える状態になっている。
【００９１】
なお、この場合において、上方連結部７５０の径小部７５１は、上方当接部７１０の平行溝７３２から直交溝７３３に入り、径小部７５１の平行溝７３２によって押圧方向の成分を有する押圧方向移動の規制が、直交溝７３３によって解消される。すなわち、上方当接部７１０は径小部７５１によって押圧方向の規制が解消され、上方当接部７１０は自重によって用紙束を押える。
【００９２】
その後、カム５４の回転が続くと、押し出しリンク６０の伸張の途中状態から最も伸張した状態まで、上歯６１および下歯６２（アッパーアーム５１およびロウアーアーム５２）が、更に開口を閉じる方向に、すなわち、上歯６１が下方へ、下歯６２が上方へ、移動する。
この上歯６１（アッパーアーム５１）の下方への移動に際し、上方連結部７５０の径小部７５１は、上方当接部７１０の直交溝７３３に沿って移動する。これによって、上方当接部７１０が用紙束に接触した状態で、上歯６１が、更に用紙束に向かって移動することとなる。そして、上歯６１が更に下方に向けて移動し、上方当接部７１０の一端部７１１に形成されている切り欠き７１５（図６参照）を通過して、用紙束の綴じ動作を開始する。
【００９３】
同様に、下歯６２（ロウアーアーム５２）の上方への移動に際し、下方連結部７７０の径小部７７１は、下方当接部７２０の直交溝７４３に沿って移動する。これによって、下方当接部７２０が用紙束に接触した状態で、下歯６２が、更に用紙束に向かって移動することとなる。そして、下歯６２が更に上方に向けて移動し、下方当接部７２０の一端部７２１に形成されている切り欠き７２５（図６参照）を通過して、用紙束の綴じ動作を開始する。
その後、カム５４の更なる回転によって、上歯６１と下歯６２が噛み合い、用紙束を押圧して綴じる。また、この上歯６１および下歯６２が用紙束に突き当たった際に、上方当接部７１０の一端部７１１は、上歯６１からの押圧を受けて持ち上がった用紙束の一部、すなわち、用紙束の押された箇所の周囲部分からの持ち上がる力を受けて、用紙束から離れる方向（押圧方向の上方）に退避する。
同様に、その上方当接部７１０の一端部７１１の退避移動とともに、下方当接部７２０の一端部７２１は、下歯６２からの押圧を受けて持ち上がった用紙束の一部、すなわち、用紙束の押された箇所の周囲部分からの持ち上がる力を受けて、用紙束から離れる方向（押圧方向の下方）に退避する。
【００９４】
このようにして用紙束に対する綴じ動作を終えた後、カム５４が更に回転すると、カム５４と押し出しリンク６０との接触位置が変わり、押し出しリンク６０が伸張状態から圧縮状態へと移行し始める。そして、上歯６１と下歯６２との押圧が解除されて、図１２−３の状態に戻る。その後、カム５４が回転を続けると、アッパーアーム５１とロウアーアーム５２とが出入方向の下流側へ移動し、図１２−２に示す状態となって、アッパーアーム５１とロウアーアーム５２との開口が広がる。このとき、上歯６１と下歯６２とが出入方向の下流側へ退避する動作を行なう際に、上歯６１と上歯清掃部８１０とが接触し、上歯清掃部８１０が上歯６１に対して更に出入方向の下流側から上流側にスライド移動する過程において、上歯清掃部８１０の先端８１１が上歯６１に接触し、撓んで上歯６１を清掃する。同様に、下歯６２と下歯清掃部８２０とが接触し、下歯清掃部８２０が下歯６２に対して更に出入方向の下流側から上流側にスライド移動する過程において、下歯清掃部８２０の先端８２１が下歯６２に接触し、撓んで下歯６２を清掃する。その後、アッパーアーム５１とロウアーアーム５２が出入方向の下流側へ移動し、図１２−１に示す初期状態に戻って、次の綴じ動作の開始まで待機する。
【００９５】
このように、本実施の形態では、用紙束を綴じるに際して用紙束を押えるために、上歯６１を有するアッパーアーム５１の移動に連動可能に連結されている上方当接部７１０を設け、また、下歯６２を有するロウアーアーム５２の移動に連動可能に連結されている下方当接部７２０を設け、この上方当接部７１０と下方当接部７２０とによって用紙束を押えるように構成した。そして、このとき、上方当接部７１０と下方当接部７２０とは、ある支点を回転中心として回転移動することで、押えのための機構を簡略化している。また、回転移動する上方当接部７１０と下方当接部７２０との支点は、位置を異ならせるとともに、上方当接部７１０と下方当接部７２０との押えの位置に対して十分に遠い位置に設けた。これによって、上方当接部７１０の一端部７１１の平面と下方当接部７２０の一端部７２１の平面とが、より平行に近い状態を保ちながら、初期状態から押え状態に移行することが可能となり、用紙束の上下方向の押えを良好に行なうことができる。
【符号の説明】
【００９６】
１…画像形成装置、２…後処理装置、２１…トランスポートユニット、２２…フィニッシャユニット、５０…綴じ部、５１…アッパーアーム、５２…ロウアーアーム、５３…シャフトアーム、５４…カム、５６…レバー、５７…リンク、７０…用紙集積部、８０…スタッカー部、９０…筐体、１００…画像形成ユニット、５００…綴じユニット、５１１…一端部、５１２…他端部、５１３…支持部、５１５…リンク連結穴、５１６…回転中心穴、５２１…一端部、５２２…他端部、３００…綴じ処理装置、７００…綴じ補助部、７１０…上方当接部、７１７…回転中心軸、７２０…下方当接部、７２７…回転中心軸、８００…駆動部、８１０…上歯清掃部、８１１…先端、８２０…下歯清掃部、８２１…先端、９５３…アームガイド
【図１】
2019167172.tif 000003
【図２】
2019167172.tif 000004
【図３】
2019167172.tif 000005
【図４】
2019167172.tif 000006
【図５】
2019167172.tif 000007
【図６】
2019167172.tif 000008
【図７】
2019167172.tif 000009
【図８】
2019167172.tif 000010
【図９】
2019167172.tif 000011
【図１０】
2019167172.tif 000012
【図１１】
2019167172.tif 000013
【図１２−１】
2019167172.tif 000014
【図１２−２】
2019167172.tif 000015
【図１２−３】
2019167172.tif 000016
【図１２−４】
2019167172.tif 000017